(57)【要約】【課題】使用後に簡便に廃棄することができて衛生的であり、且つ製作コストを安価にすることで毎日使用、交換しても費用負担とならない男性陰のう収容袋を提供する。【解決手段】重ね部は、前記開口部から所定の幅の人体に接触させる接触面を形成するようにして折り曲げ先端付近で２条の糸で縫合されて縫合部が形成され、縫合部を通され、縫合部の一部から外方に引き出された伸縮性ヒモが設けられ、収容部に陰のうを収容し、伸縮性ヒモを絞った時に、伸縮性ヒモは、男性ペニスの根本部に結びつける充分な長さを有する。【選択図】図３
0003175894.tif 000002
【実用新案登録請求の範囲】
【請求項１】
乾燥させた紙を材質とした柔らかい袋状体が用いられ、該袋状体の入り口部が袋状体の内側に折り曲げられることで袋状体の内側と重ね合わされた重ね部と折り曲げ線に沿って形成された開口部とで内部に大人男子の陰のうを収容する陰のう収容部とからなる袋状体が形成され、
前記重ね部は、前記開口部から所定の幅の人体に接触させる接触面を形成するようにして折り曲げ先端付近で２条の糸で縫合されて縫合部が形成され、該縫合部を通され、縫合部の一部から外方に引き出された伸縮性ヒモが設けられ、前記収容部に陰のうを収容して該伸縮性ヒモを絞った時に、該伸縮性ヒモは、男性ペニスの根本部に結びつける充分な長さを有し、前記収容部に陰のうを収容して、前記接触面を人体に接触させて、男性ペニスの根本部に固着することのできることを特徴とする男性陰のう収容袋。
【考案の詳細な説明】
【技術分野】
【０００１】
本考案は、男性の陰のうを収容することのできる男性陰のう収容袋に関する。
【背景技術】
【０００２】
股部に汗が溜ると陰のうが蒸れてベタベタして気持ちが悪くなり、これを繰り返すと湿疹や痒みを生じ、耐えがたい忍耐を強要し、薬を付けたり、或いは通院しなければならなくなったりする。
【０００３】
陰茎、睾丸、陰のう、いわゆる男性器表面の湿疹や痒みを防止するための各種の男性器収容袋が提案されている。
【０００４】
特許文献１には、男性用下履きに陰のう袋を取り付けた構造のものが記載されている。
【０００５】
特許文献２には、陰のうを包み込むハンモック状のＵ字溝部を形成したものが記載されている。
【先行技術文献】
【特許文献】
【０００６】
【特許文献１】実用新案登録第３１０５０５５号公報
【特許文献２】特開２０１０-１５０６９８号公報
【考案の開示】
【考案が解決しようとする課題】
【０００７】
従来の陰のう収容袋は、男性下履きやパンツに取り付けて使用されている。
【０００８】
このような構成であると使用後に廃棄するに当っては男性下履きやパンツから切り離さなければならず、手間を要することになって外出先での交換に不便を来すことになる。また、簡便に取り除すことができない場合には衛生上の問題もある。
【０００９】
本考案は、かかる点に鑑みて使用交換が楽で使用後に簡便に廃棄することができて衛生的であり、且つ製作コストを安価にすることで毎日使用、交換しても費用負担とならない男性陰のう収容袋を提供することを目的とする。
【課題を解決するための手段】
【００１０】
本考案は、乾燥させた紙を材質とした柔らかい袋状体が用いられ、該袋状体の入り口部が袋状体の内側に折り曲げられることで袋状体の内側と重ね合わされた重ね部と折り曲げ線に沿って形成された開口部とで内部に大人男子の陰のうを収容する陰のう収容部とからなる袋状体が形成され、
前記重ね部は、前記開口部から所定の幅の人体に接触させる接触面を形成するようにして折り曲げ先端付近で２条の糸で縫合されて縫合部が形成され、該縫合部を通され、縫合部の一部から外方に引き出された伸縮性ヒモが設けられ、前記収容部部に陰のうを収容して該伸縮性ヒモを絞った時に、該伸縮性ヒモは、男性ペニスの根本部に結びつける充分な長さを有し、前記収容部に陰のうを収容して、前記接触面を人体に接触させて、男性ペニスの根本部に固着することのできることを特徴とする男性陰のう収容袋を提供する。
【考案の効果】
【００１１】
本考案は、上述したように構成したので使用交換が楽で、使用後に簡便に廃棄することができて衛生的であり、且つ製作コストを安価にすることで毎日使用、交換しても費用負担とならない男性陰のう収容袋を提供することができる。
【考案を実施するための最良の形態】
【００１２】
以下、本考案の実施例を図面に基づいて説明する。
【実施例】
【００１３】
図１〜図３は、本考案の実施例である男性陰のう収容袋の構成を示す図である。
【００１４】
図１は、本実施例である男性陰のう収容袋１の側面図を示し、図２は、９０°回転した方向の側面から側面図を示し、図３は、使用状態を想定したときの上方から見た斜視図を示す。
【００１５】
これらの図において、男性陰のう収容袋１は、その形成のために、例えば、ウエットティッシュを乾燥した紙を材質とした袋状体２が用いられる。乾燥した柔らかい材質の紙であればよい。
【００１６】
袋状体２は、乾燥したウエットティッシュをニつ折りにして対向した２つの側面をそれぞれ糸１１で縫い合わせることで袋状とされる。２１は、２つの紙の合わせ目を示す。
【００１７】
袋状体２の上面は、開口していて、入口部となる。
【００１８】
入口部が袋状体の内側に折り曲げられることで袋状体２の内側と重ね合わされた重ね部３が形成される。従って、重ね部３は、入口部によって形成されたものであり、図面の上側先端に開口部４が形成される。
【００１９】
重ね部３の下側は、収容部５とされ、その内部に陰のうを収容することができる。収容部５は、陰のうを収容すれば充分な大きさとされる。
【００２０】
このようにして、ウエットティッシュを乾燥させた紙を材質とした柔らかい袋状体が用いられ、この袋状体の入り口部が袋状体の内側に折り曲げられることで袋状体の内側と重ね合わされた重ね部３と折り曲げ線に沿って形成された開口部４と内部に大人男子の陰のうを収容する陰のう収容部とからなる袋状体６が形成される。
【００２１】
ウエットティッシュは、水を主成分に、かびや細菌などの微生物の繁殖を抑える「防腐剤」や、手あれ防止のための「湿潤剤・保湿剤」、油脂分を除去する目的の「アルコール・洗浄剤」などが適量含んでいるので好んで用いられる。ウエットティッシュは、おしぼりの材質としても用いられている。
【００２２】
重ね部３は、開口部４から所定の幅（図で高さ方向）の人体に接触させる接触面７を形成するようにて折り曲げ先端８から近距離地点で、先端付近で２条の糸９で縫合される。２条の糸９で縫合されることで縫合部１０が形成される。
【００２３】
この縫合部１０の中を通され、縫合部１０の一部から外方に引き出された伸縮性ヒモ１２が設けられる。この伸縮性ヒモ１２は、ダブルラッセル編機にて編成されたダブルラッセル紐を使用することができる。また、マクス用のヒモが好んで使用される。
【００２４】
収容部５に陰のうを収容し、伸縮性ヒモ１２を絞った時に、接触面７はしわしわ形状となる。伸縮性ヒモ１２は、男性ペニスの根本部に結びつけるに充分な長さを有するものとする。
【００２５】
このように構成することで、収容部５に陰のうを収容して、接触面７を人体に接触させて、男性ペニスの根本部に男性陰のう収容袋１を固着することができる。
【００２６】
図３は、伸縮性ヒモ１２を絞った状態を示す。伸縮性ヒモ１２を絞ると、開口部４は狭まり、接触面７は外方に開いた状態となり、人体に的確に接触することが可能となる。
【００２７】
接触面を形成することによって、伸縮性ヒモ１２の絞りによる人体への固着感が緩和される。
【００２８】
本実施例になる陰のう収容袋１は、ウエットティッシュ及び伸縮性ヒモを主なる構成材料とするので、極めて軽量に形成することができて、安価であり、また収容部５は陰のうのみを収容するに充分な内部空間を形成することができるものであればよいのであるからその形状は極めて小さいものとすることができる。かつ、パンツなどに取り付けることを要しない独立体とすることができるので、操作が極めて簡便であり、外出先でも容易に交換することができ、使用後の廃棄を簡便に行う事ができて衛生的である。陰のうの男性ペニスへのネバ付きを防止することができるので、自動車の長時間の運転に支障をきたさない。
【図面の簡単な説明】
【００２９】
【図１】本考案実施例の側面図。
【図２】図１を９０°回転方向から見た側面図。
【図３】装着状態を想定した時の使用状態の説明図。
【符号の説明】
【００３０】
１…男性陰のう収容袋、２…袋状体、３…重ね部、４…開口部、５…収容部、６…袋状体、７…接触面、８…先端、９…糸、１０…縫合部、１１…糸、１２…伸縮性ヒモ。
【図１】
0003175894.tif 000003
【図２】
0003175894.tif 000004
【図３】
0003175894.tif 000005